(57)【要約】【課題】高速無線データシステムを構成するための公衆ネットワークと私設ネットワークのデータ位置登録器の共通使用方法及びシステムを提供する。【解決手段】本発明の無線データシステムは、公衆ネットワーク端末と私設ネットワーク端末に応じてそれぞれ異なる認証の処理を遂行し、各端末のセッション管理及び各端末の送受信データを制御する基地局制御器と、公衆ネットワークと私設ネットワークとの間で共通に使用され、公衆ネットワーク端末のサービス情報、私設ネットワーク端末が無線私設ネットワークのサービスを使用する場合に必要な情報及び各端末の加入者情報を備えており、基地局制御器から加入者情報要求があると該当加入者情報を検索して伝送するデータ位置登録器と、を備える。【選択図】図２
2004104785.tif 000002
【特許請求の範囲】
【請求項１】
　無線データシステムにおいて、
　公衆ネットワーク端末と私設ネットワーク端末に応じてそれぞれ異なる認証の処理を遂行し、各端末のセッション管理及び各端末の送受信データを制御する基地局制御器と、
　公衆ネットワークと私設ネットワークとの間で共通に使用され、前記公衆ネットワーク端末のサービス情報、前記私設ネットワーク端末が無線私設ネットワークのサービスを使用する場合に必要な情報及び各端末の加入者情報を備えており、前記基地局制御器から加入者情報要求があると該当加入者情報を検索して伝送するデータ位置登録器と、を備えることを特徴とするシステム。
【請求項２】
　データ位置登録器は私設ネットワークに属する基地局制御器からページング要求があると ページング要求に含まれるソースアドレス情報を利用して該当基地局制御器にページング応答を伝送する請求項１記載のシステム。
【請求項３】
　データ位置登録器は公衆ネットワークに属する基地局制御器からページング要求があるとページング情報とページング領域情報を利用して該当基地局制御器にページング応答を伝送する請求項１記載のシステム。
【請求項４】
　基地局制御器は各端末に臨時識別子を割り当てる請求項１記載のシステム。
【請求項５】
　基地局制御器は基地局を通じた端末からの呼発信要求があると共通データ位置登録器に加入者情報を要求して受信した加入者情報に基づいて呼発信過程を遂行する請求項１記載のシステム。
【請求項６】
　基地局制御器は通信ノードから呼着信要求があると共通データ位置登録器にページング要求を伝送して呼着信過程を遂行する請求項１記載のシステム。
【請求項７】
　基地局制御器とデータ位置登録器はインターネットプロトコルに基づいて構成される請求項１記載のシステム。
【請求項８】
　基地局制御器は、ページング要求を伝送すると基地局が私設ネットワークに属する基地局制御器であるか又は公衆ネットワークに属する基地局制御器であるかを確認するための基地局制御器確認情報をデータ位置登録器に伝送する請求項１記載のシステム。
【請求項９】
　データ位置登録器は、私設ネットワークに属する基地局制御器からページング要求があれば該ページング要求に含まれるソースアドレス情報を利用して該当する基地局制御器にページング応答を伝送し、公衆ネットワークに属する基地局制御器からページング要求があればページング情報とページング領域情報を利用して該当する基地局制御器にページング応答を伝送する請求項１記載のシステム。
【請求項１０】
　基地局制御器は、各端末に臨時識別子を割り当て、基地局を通じて端末から呼発信要求があると共通データ位置登録器に加入者情報を要求して受信した加入者情報に基づいて呼発信過程を遂行し、通信ノードから呼着信要求があると共通データ位置登録器にページング要求を伝送して呼着信過程を遂行し、基地局制御器とデータ位置登録器がインターネットプロトコルに基づいて構成され、ページング要求を伝送すると基地局が私設ネットワークに属する基地局制御器であるか又は公衆ネットワークに属する基地局制御器であるかを確認するための基地局制御器確認情報をデータ位置登録器に伝送する請求項１記載のシステム。
【請求項１１】
　データ位置登録器は、私設ネットワークに属する基地局制御器からページング要求があれば該ページング要求に含まれるソースアドレス情報を利用して該当する基地局制御器にページング応答を伝送し、公衆ネットワークに属する基地局制御器からページング要求があればページング情報とページング領域情報を利用して該当する基地局制御器にページング応答を伝送する請求項１０記載のシステム。
【請求項１２】
　基地局制御器は基地局を通じた端末からの呼発信要求があると共通データ位置登録器に加入者情報を要求して受信した加入者情報に基づいて呼発信過程を遂行する請求項１１記載のシステム。
【請求項１３】
　公衆ネットワークと私設ネットワークとの間でデータ位置登録器を共通して使用するための高速無線データシステムにおいて、
　呼発信要求があるとデータ位置登録器に端末の加入者情報を要求して認証過程を通じて受信した加入者情報に基づいて呼発信過程を遂行し、呼着信要求があるとデータ位置登録器にページング要求を伝送して呼着信過程を遂行する基地局制御器と、
　公衆ネットワークと私設ネットワークとの間で共通に使用され、公衆ネットワーク端末のサービス情報、私設ネットワーク端末が無線私設ネットワークのサービスを使用する場合に必要な情報及び各端末の加入者情報を備えており、前記高速無線データシステムの端末に対する加入者情報と位置情報を貯蔵し、前記基地局制御器から加入者情報要求があると該当加入者情報を検索して伝送し、私設ネットワークに属する基地局制御器からページング要求があるとページング要求に含まれるソースアドレス情報を利用して該当基地局制御器にページング応答を伝送し、公衆ネットワークに属する基地局制御器からページング要求があるとページング情報とページング領域情報を利用して該当基地局制御器にページング応答を伝送するデータ位置登録器とを含むことを特徴とするシステム。
【請求項１４】
　基地局制御器は、ページング要求を伝送すると基地局が私設ネットワークに属する基地局制御器であるか又は公衆ネットワークに属する基地局制御器であるかを確認するための基地局制御器確認情報をデータ位置登録器に伝送する請求項１３記載のシステム。
【請求項１５】
　高速無線データシステムにおける公衆ネットワークと私設ネットワークとの間でデータ位置登録器を共通して使用するための呼発信方法において、
　私設ネットワークに属する基地局制御器が端末からの呼接続要求に応答して加入者情報を要求する過程と、
　データ位置登録器が加入者情報要求に応答して該当加入者情報を検索して基地局制御器に伝送する過程と、
　基地局制御器がデータ位置登録器から伝送された加入者情報を受信すると認証過程を経て加入者情報に基づいて呼発信を遂行する過程と、を含むことを特徴とする方法。
【請求項１６】
　高速無線データシステムにおける公衆ネットワークと私設ネットワークとの間でデータ位置登録器を共通して使用するための呼着信方法において、
　基地局制御器が呼着信要求を受信するとデータ位置登録器にページング要求メッセージを伝送する過程と、
　データ位置登録器がページング要求メッセージを受信する過程と、
　ページング要求メッセージがデータ位置登録器で受信された場合に、該ページング要求メッセージが私設ネットワークに属する基地局制御器から伝送されたページング要求メッセージであるか又は公衆ネットワークに属する基地局制御器から伝送されたページング要求メッセージであるかを検査する過程と、
　ページング要求メッセージが私設ネットワークに属する基地局制御器からのページング要求であるとページング要求メッセージに含まれたソースアドレス情報を利用して該当基地局制御器にページング応答を伝送する過程と、
　ページング要求メッセージが公衆ネットワークに属する基地局制御器からのページング要求であるとページング情報とページング領域情報を利用して該当基地局制御器にページング応答を伝送する過程と、
　ページング応答を受信する基地局制御器が呼着信を遂行する過程と、を含むことを特徴とする方法。
【請求項１７】
　呼発信を遂行する過程は、
　基地局制御器が加入者情報を受信すると私設認証システムに認証要求を伝送する過程と、
　私設認証システムが加入者情報に対して認証確認を行う過程と、
　私設認証システムからの認証確認があると端末の接続を確認して通信を行う過程と、をさらに含む請求項１５記載の方法。
【請求項１８】
　呼着信を遂行する過程は、
　ページング応答を受信する基地局制御器が該当端末にページング要求を伝送する過程と、
　該当端末からページング要求があると私設認証システムに認証要求を伝送する過程と、
　私設認証システムから認証確認があるとデータ通信を行う過程と、をさらに含む請求項１６記載の方法。
【請求項１９】
　公衆ネットワークと私設ネットワークとの間で共通して使用するデータ位置登録器が少なくとも一つの私設ネットワークと接続された第１基地局制御器からページング要求メッセージを受信する過程と、
　ソース基地局制御器確認フィールドを検査し、受信したページング要求メッセージが第１基地局制御器及び公衆ネットワークと接続された第２基地局制御器のうちいずれか１つから受信したかを判断する過程と、
　データ位置登録器がページング要求メッセージを第１基地局制御器から受信するとページング要求メッセージのソースアドレスに該当する第１基地局制御器にページング応答メッセージを伝送する過程と、
　データ位置登録器がシステム形状情報を含むページング情報及びページング領域情報を使用してページング領域に属する該当基地局制御器にページング応答メッセージを伝送する過程と、を含むことを特徴とする方法。
【請求項２０】
　ページング要求メッセージはページング要求メッセージのソース基地局制御器を確認するために使用されるソース基地局制御器確認フィールドを含む請求項１９記載の方法。
　
【発明の詳細な説明】
【技術分野】
【０００１】
　本発明は高速無線データシステムに関し、特に、公衆ネットワークと私設ネットワーク間のデータ位置登録器を共通して使用する方法及びシステムに関する。
【背景技術】
【０００２】
　一般に移動通信システムは使用者の移動性を保障しつつ音声通話をするために開発されてきた。このような音声通話を主体とする移動通信システムは、使用者の要求に応じ、短いデータサービスを提供できるように研究及び技術開発が行われている。すなわち、移動通信システムは、音声サービスを基本に提供され、データサービスとしてショートメッセージ伝送、使用者端末機のベル音のための音楽ファイル伝送、簡易インターネット通信サービス及び金融決済サービスなどを提供している。
【０００３】
　このようなデータサービスを提供することができ及び移動通信加入者により多くの情報を高速で提供することができる移動通信システムの開発が商用化への適用作業とともに現在進められている。このような高速データサービスのための移動通信システムは、ＣＤＭＡ２０００ １xＥＶ-ＤＯ(Code Division Mutiple Access 2000 1x Evolution(Data Only)：高速無線データシステム)であり、移動通信端末へ高速でデータを伝送するためのシステムとして論議されている。したがって、高速無線データシステムは、既存のシステムとは異なるチャネルを有している。高速でデータを伝送するために必要なチャネルは、データチャネル、付加チャネル、シグナリングチャネル、ＭＡＣ（Medium Access Control）チャネルなどを含む。各チャネルの構造及びチャネルに伝送できる各種データフォーマットが研究されている。このように高速無線データシステムは一般の音声通話のための無線ネットワークとその性質を異にする。
【０００４】
　このような高速無線データシステムは一般的に公衆ネットワークと特定目的を有するグループ又は会社などで利用する私設ネットワークとに分けられる。私設ネットワークは特定公衆ネットワークと連動するように構成される。これには公衆ネットワークを部分的に私設ネットワークとして利用する方法がある。すなわち、移動通信端末が特定地域内に位置すると私設ネットワークサービスが提供され、それ以外の地域に位置すると公衆ネットワークサービスが提供される方式である。
【０００５】
　このような高速無線データシステムを正常に駆動させるためには公衆ネットワークと私設ネットワークの円滑な連動だけでなく、各構成要素間の連動も円滑でなければならない。特に、データ位置登録器間のインタフェースが正常に行われなければならない。
【０００６】
　このことから、私設ネットワークの設置要求と位置を予め考慮して公衆ネットワークを構築する必要がある。また、私設ネットワークシステムが設置されるたびに、公衆ネットワーク形状情報を変更しなければならない。したがって、データ位置登録器を管理する高価なデータ位置登録器ローカルマネージャ装置を各ネットワークごとに備えなければならないので、高コストになる。このため、セントラルオフィス(central office)で管理する高速無線データシステムのデータ位置登録器とは異なり、高速無線データシステムの私設データ位置登録器を地域ごとに区別して管理しなければならないという問題があった。
【０００７】
　図１は、従来の高速無線データシステムの構成及び公衆ネットワークと私設ネットワークで使用可能なネットワーク構成を示したものである。図１において、私設ネットワーク専用として使用されるか又は私設ネットワーク及び公衆ネットワークで共通して使用されるノードに小文字の“p”を付加して私設ネットワークノードであることを区別した。
【０００８】
　図１に示したように、高速無線データシステムは、高速無線データ端末(Access Node：ＡＮ)１１、２１と、私設基地局(private Access Network Transceiver System：ｐＡＮＴＳ)１０１、１０２と、ハブ１１０、１２０と、私設基地局制御器(private Access Network Controller：ｐＡＮＣ)１１２と、基地局制御器(Access Network Controller：ＡＮＣ)１２３と、私設パケットデータサービスノード(private Packet Data Serving Node：ｐＰＤＳＮ)１１１と、パケットデータサービスノード(Packet Data Serving Node：ＰＤＳＮ)１２４と、私設認証システム(private Access Network Authentication Accounting Authorization：ｐＡＮ_ＡＡＡ)１１３と、認証システム(Access Network Authentication Accounting Authorization：ＡＮ_ＡＡＡ)１２２と、私設データ位置登録器(private Data Location Register：ｐＤＬＲ)１２５と、データ位置登録器(Data Location Register：ＤＬＲ)１２１と、から構成されている。また、図示していないが、ＤＬＲ１２１とＡＮとの通信のためにインタフェースＡ１３を使用する。
【０００９】
　この場合、高速無線データシステムを正常に駆動させるためには公衆ネットワークと私設ネットワークを円滑に連動させなければならない。したがって、公衆ネットワークと私設ネットワークが備える各構成要素間の連動も円滑でなければならない。特に、データ位置登録器間のインタフェースが正常に行われる必要がある。データ位置登録器は、ＡＮ又はシステム構成情報と関連したセッション情報(session information)、認証情報(authentication information)、位置情報(location information)などを管理し、ＡＮの移動性をサポートする。
【００１０】
　図１を参照すると、高速無線データシステムは、私設ネットワークを含み、私設ネットワークのためのｐＤＬＲ１２５と公衆ネットワークのためのＤＬＲ１２１とのインタフェースＡ１３を通じてＡＮに関連したセッション情報、位置情報などを送受信する。移動通信負荷が多くかかるエリアや密集した遠距離通信エリアに私設ネットワークが設置されると、そのシステムにかかる負荷が増加し、これによって私設ネットワークシステムに隣接して位置する公衆ネットワークシステムにおいてもインタフェースＡ１３を通じたメッセージ伝送が増加するので、負荷が多くかかることになる。このことから、私設ネットワークが構築される前に私設ネットワークの設置要求と位置を考慮する必要がある。また、私設ネットワークシステムが設置されるたびに、公衆ネットワーク形状情報をアップデートしなければならない。さらに、セントラルオフィス(central office)で管理するＤＬＲ１２１とは異なり、ｐＤＬＲ１２５を地域ごとに区別して管理しなければならないといった問題が発生し、無線データ位置登録器を管理する高価なＤＬＭ(DLR Local Manager)装置を各ネットワークごとに備えなければならないので、高コストになる。
【発明の開示】
【発明が解決しようとする課題】
【００１１】
　したがって本発明の目的は、公衆ネットワークと私設ネットワークを連動する場合にインタフェース過程により発生するメッセージ過負荷を低減することができる公衆ネットワークと私設ネットワーク間におけるデータ位置登録器の共通使用方法及びシステムを提供することにある。
【００１２】
　また、本発明の他の目的は、経済的に高速無線データシステムを構築できる公衆ネットワークと私設ネットワーク間におけるデータ位置登録器の共通使用方法及びシステムを提供することにある。
【課題を解決するための手段】
【００１３】
　このような目的を達成するための本発明は、無線データシステムにおいて、公衆ネットワーク端末と私設ネットワーク端末に応じてそれぞれ異なる認証の処理を遂行し、各端末のセッション管理及び各端末の送受信データを制御する基地局制御器と、公衆ネットワークと私設ネットワークとの間で共通に使用され、公衆ネットワーク端末のサービス情報、私設ネットワーク端末が無線私設ネットワークのサービスを使用する場合に必要な情報及び各端末の加入者情報を備えており、基地局制御器から加入者情報要求があると該当加入者情報を検索して伝送するデータ位置登録器と、を備えることを特徴とするシステムを提供する。
【００１４】
　このシステムでデータ位置登録器は私設ネットワークに属する基地局制御器からページング要求があるとページング要求に含まれるソースアドレス情報を利用して該当基地局制御器にページング応答を伝送することができる。
【００１５】
　データ位置登録器は公衆ネットワークに属する基地局制御器からページング要求があるとページング情報とページング領域情報を利用して該当基地局制御器にページング応答を伝送することができる。
【００１６】
　基地局制御器は各端末に臨時識別子を割り当てるとよい。
【００１７】
　基地局制御器は基地局を通じた端末からの呼発信要求があると共通データ位置登録器に加入者情報を要求して受信した加入者情報に基づいて呼発信過程を遂行することができる。
【００１８】
　基地局制御器は通信ノードから呼着信要求があると共通データ位置登録器にページング要求を伝送して呼着信過程を遂行することができる。
【００１９】
　基地局制御器とデータ位置登録器はインターネットプロトコルに基づいて構成されるとよい。
【００２０】
　基地局制御器は、ページング要求を伝送すると基地局が私設ネットワークに属する基地局制御器であるか又は公衆ネットワークに属する基地局制御器であるかを確認するための基地局制御器確認情報をデータ位置登録器に伝送するとよい。
【００２１】
　データ位置登録器は、私設ネットワークに属する基地局制御器からページング要求があれば該ページング要求に含まれるソースアドレス情報を利用して該当する基地局制御器にページング応答を伝送し、公衆ネットワークに属する基地局制御器からページング要求があればページング情報とページング領域情報を利用して該当する基地局制御器にページング応答を伝送するとよい。
【００２２】
　基地局制御器は、各端末に臨時識別子を割り当て、基地局を通じて端末から呼発信要求があると共通データ位置登録器に加入者情報を要求して受信した加入者情報に基づいて呼発信過程を遂行し、通信ノードから呼着信要求があると共通データ位置登録器にページング要求を伝送して呼着信過程を遂行し、基地局制御器とデータ位置登録器がインターネットプロトコルに基づいて構成され、ページング要求を伝送すると基地局が私設ネットワークに属する基地局制御器であるか又は公衆ネットワークに属する基地局制御器であるかを確認するための基地局制御器確認情報をデータ位置登録器に伝送することができる。
【００２３】
　データ位置登録器は、私設ネットワークに属する基地局制御器からページング要求があれば該ページング要求に含まれるソースアドレス情報を利用して該当する基地局制御器にページング応答を伝送し、公衆ネットワークに属する基地局制御器からページング要求があればページング情報とページング領域情報を利用して該当する基地局制御器にページング応答を伝送することができる。
【００２４】
　基地局制御器は基地局を通じた端末からの呼発信要求があると共通データ位置登録器に加入者情報を要求して受信した加入者情報に基づいて呼発信過程を遂行することができる。
【００２５】
　また、本発明では、公衆ネットワークと私設ネットワークとの間でデータ位置登録器を共通して使用するための高速無線データシステムにおいて、呼発信要求があるとデータ位置登録器に端末の加入者情報を要求して認証過程を通じて受信した加入者情報に基づいて呼発信過程を遂行し、呼着信要求があるとデータ位置登録器にページング要求を伝送して呼着信過程を遂行する基地局制御器と、公衆ネットワークと私設ネットワークとの間で共通に使用され、公衆ネットワーク端末のサービス情報、私設ネットワーク端末が無線私設ネットワークのサービスを使用する場合に必要な情報及び各端末の加入者情報を備えており、高速無線データシステムの端末に対する加入者情報と位置情報を貯蔵し、基地局制御器から加入者情報要求があると該当加入者情報を検索して伝送し、私設ネットワークに属する基地局制御器からページング要求があるとページング要求に含まれるソースアドレス情報を利用して該当基地局制御器にページング応答を伝送し、公衆ネットワークに属する基地局制御器からページング要求があるとページング情報とページング領域情報を利用して該当基地局制御器にページング応答を伝送するデータ位置登録器とを含むことを特徴とするシステムを提供する。
【００２６】
　このシステムで基地局制御器は、ページング要求を伝送すると基地局が私設ネットワークに属する基地局制御器であるか又は公衆ネットワークに属する基地局制御器であるかを確認するための基地局制御器確認情報をデータ位置登録器に伝送するとよい。
【００２７】
　さらに、本発明は、高速無線データシステムにおける公衆ネットワークと私設ネットワークとの間でデータ位置登録器を共通して使用するための呼発信方法において、私設ネットワークに属する基地局制御器が端末からの呼接続要求に応答して加入者情報を要求する過程と、データ位置登録器が加入者情報要求に応答して該当加入者情報を検索して基地局制御器に伝送する過程と、基地局制御器がデータ位置登録器から伝送された加入者情報を受信すると認証過程を経て加入者情報に基づいて呼発信を遂行する過程と、を含むことを特徴とする方法を開示する。
【００２８】
　さらにまた、本発明では、高速無線データシステムにおける公衆ネットワークと私設ネットワークとの間でデータ位置登録器を共通して使用するための呼着信方法において、基地局制御器が呼着信要求を受信するとデータ位置登録器にページング要求メッセージを伝送する過程と、データ位置登録器がページング要求メッセージを受信する過程と、ページング要求メッセージがデータ位置登録器で受信された場合に、該ページング要求メッセージが私設ネットワークに属する基地局制御器から伝送されたページング要求メッセージであるか又は公衆ネットワークに属する基地局制御器から伝送されたページング要求メッセージであるかを検査する過程と、ページング要求メッセージが私設ネットワークに属する基地局制御器からのページング要求であるとページング要求メッセージに含まれたソースアドレス情報を利用して該当基地局制御器にページング応答を伝送する過程と、ページング要求メッセージが公衆ネットワークに属する基地局制御器からのページング要求であるとページング情報とページング領域情報を利用して該当基地局制御器にページング応答を伝送する過程と、ページング応答を受信する基地局制御器が呼着信を遂行する過程と、を含むことを特徴とする方法も開示する。
【００２９】
　呼発信を遂行する過程は、基地局制御器が加入者情報を受信すると私設認証システムに認証要求を伝送する過程と、私設認証システムが加入者情報に対して認証確認を行う過程と、私設認証システムからの認証確認があると端末の接続を確認して通信を行う過程と、をさらに含むとよい。
【００３０】
　呼着信を遂行する過程は、ページング応答を受信する基地局制御器が該当端末にページング要求を伝送する過程と、該当端末からページング要求があると私設認証システムに認証要求を伝送する過程と、私設認証システムから認証確認があるとデータ通信を行う過程と、をさらに含むとよい。
【００３１】
　さらに、また、本発明では、公衆ネットワークと私設ネットワークとの間で共通して使用するデータ位置登録器が少なくとも一つの私設ネットワークと接続された第１基地局制御器からページング要求メッセージを受信する過程と、ソース基地局制御器確認フィールドを検査し、受信したページング要求メッセージが第１基地局制御器及び公衆ネットワークと接続された第２基地局制御器のうちいずれか１つから受信したかを判断する過程と、データ位置登録器がページング要求メッセージを第１基地局制御器から受信するとページング要求メッセージのソースアドレスに該当する第１基地局制御器にページング応答メッセージを伝送する過程と、データ位置登録器がシステム形状情報を含むページング情報及びページング領域情報を使用してページング領域に属する該当基地局制御器にページング応答メッセージを伝送する過程と、を含むことを特徴とする方法をも提案する。
【００３２】
　この方法におけるページング要求メッセージはページング要求メッセージのソース基地局制御器を確認するために使用されるソース基地局制御器確認フィールドを含むとよい。
【発明の効果】
【００３３】
　本発明によれば、高速無線データシステムで公衆ネットワークと私設ネットワークのデータ位置登録器を共通に使用する方法及びシステムを提供することにより、公衆ネットワークと私設ネットワークの連動時になされるインタフェースによって発生するメッセージ過負荷を低減し、経済的に高速無線データシステムを構成することができる効果がある。
【発明を実施するための最良の形態】
【００３４】
　以下、本発明の望ましい一実施形態を添付図面を参照して詳細に説明する。本発明の要旨を不明にする可能性のある公知の機能及び構成に関する詳細な説明は省略する。
【００３５】
　まず、図２を参照して本発明の一実施形態に従う高速無線データシステムの構成を説明する。図２は本発明の一実施形態による無線データシステムの構成図である。ここで、私設ネットワーク専用として使用され又は私設ネットワーク及び公衆ネットワークで共通して使用されるノードに小文字の“ｐ”を付加して私設ネットワークノードであることを区別した。図２に示したように、高速無線データシステムは、高速無線データ端末(Access Node：ＡＮ)１１、２１と、私設基地局(private Access Network Transceiver System：ｐＡＮＴＳ)１０１、１０２と、ハブ１１０、１２０と、私設基地局制御器(private Access Network Controller：ｐＡＮＣ)１１２と、基地局制御器(Access Network Controller：ＡＮＣ)１２３と、私設パケットデータサービスノード(private Packet Data Serving Node：ｐＰＤＳＮ)１１１と、パケットデータサービスノード(Packet Data Serving Node：ＰＤＳＮ)１２４と、私設認証システム(private Access Network Authentication Accounting Authorization：ｐＡＮ_ＡＡＡ)１１３と、認証システム（Access Network Authentication Accounting Authorization ：ＡＮ_ＡＡＡ）１２２と、共通データ位置登録器(common　Data Location Register：ｃＤＬＲ)１２６と、から構成されている。
【００３６】
　ＡＮ１１、２１は一般の高速無線データシステムで使用される端末である。これらＡＮ１１、２１のうちＡＮ１１は無線私設ネットワークサービス及び無線公衆ネットワークサービスの提供を同時に受ける加入者であり、ＡＮ２１は無線公衆ネットワークサービスの提供を受ける他の加入者であると仮定する。また、図２に示したｐＡＮＴＳ１０１、１０２のそれぞれは所定の無線領域１０、２０を有し、無線領域内に端末が移動するとセッション(session)を確立し、該当端末に必要な臨時識別子(Unicast Access Terminal Identifier：ＵＡＴＩ)を割り当てる時に必要な動作を遂行する。また、ｐＡＮＴＳ１０１、１０２は、ＡＮに呼着信がある場合又はＡＮから発信がある場合に該当動作を遂行する。このｐＡＮＴＳ１０１、１０２はハブ１１０と接続されている。
【００３７】
　ハブ１１０は私設ネットワーク内の各ノード及び公衆ネットワークの他のノード又は他のノードが接続された他のハブと接続される。図２では、私設ネットワークの外部と接続される場合に他のハブ１２０と接続される構成を示している。さらに、ハブ１１０は私設ネットワークのＡＮのみが使用できるｐＰＤＳＮ１１１と接続され、また、ｐＡＮＣ１１２及びｐＡＮ_ＡＡＡ１１３と接続されてデータの中継を遂行する。ここで、ｐＡＮ_ＡＡＡ１１３は無線私設ネットワークと無線公衆ネットワークで共通して使用するように構成することもできる。
【００３８】
　ｐＡＮＣ１１２及びＡＮＣ１２３はＡＮに対するセッションの確立、ＵＡＴＩの割り当て及びｐＡＮ_ＡＡＡ１１３を通じたＡＮの認証を制御する。また、ｐＡＮＣ１１２は私設ネットワーク内のＡＮ又はｐＰＤＳＮ１１１及び私設ネットワーク外部に向かうルーティングサービスを行う。さらに、ｐＡＮＣ１１２はＡＮの認証のためのセッションの確立及び更新、ＵＡＴＩ割り当てのための制御、呼設定によるトラヒック制御、各種シグナリング制御などを行う。例えば、ｐＡＮＣ１１２は、ＡＮにページング信号を伝達し、ｃＤＬＲ１２６にセッション情報を割り当て又は更新し、ｃＤＬＲ１２６に位置情報を貯蔵し及びＵＡＴＩを割り当てる。
【００３９】
　他のハブ１２０は、ＡＮ＿ＡＡＡ１２２と、ＡＮＣ１２３と、ＰＤＳＮ１２４及びＡＮの情報を貯蔵するｃＤＬＲ１２６と接続され、各ノード間のデータ中継を行う。また、ハブ１２０は無線公衆ネットワークの基地局（Access Network Transceiver System：ＡＮＴＳ）に接続されることができるが、図２には図示していない。
【００４０】
　ＰＤＳＮ１２４はインターネット１３０を通じて他のパケットサービスノード又はｐＰＤＳＮ１１１と接続される。また、公衆ネットワークのＡＮＣ１２３は高速無線データシステムの一般的なＡＮＣであり、ＡＮ＿ＡＡＡ１２２も高速無線データシステムの一般的なＡＮ＿ＡＡＡである。
【００４１】
　ｃＤＬＲ１２６は高速無線データシステムに関連するＡＮ情報及びＡＮ位置情報を貯蔵し、該当ＡＮのセッションが更新された場合にＡＮ情報を提供する。また、ｃＤＬＲ１２６は一般の無線公衆ネットワークに含まれるＡＮ情報も貯蔵している。一般の無線公衆ネットワークのＡＮ情報には、ＡＮ状態情報、使用者情報、サービス等級の情報などが含まれる。さらに、ｃＤＬＲ１２６は無線私設ネットワークのＡＮ情報をさらに備える。このとき、ｃＤＬＲ１２６が備える情報は、ＡＮが私設ネットワークでのみ提供されるサービスを受ける場合と、ＡＮが私設ネットワークと公衆ネットワークの双方で提供されるサービスを受ける場合とに区分されることができる。本発明の一実施形態ではｃＤＬＲ１２６に含まれる情報はＡＮが私設ネットワークと公衆ネットワークの双方で提供されるすべてのサービスを受ける場合を説明する。この場合、ｃＤＬＲ１２６は、私設ネットワークのＡＮ情報と公衆ネットワークのＡＮ情報を含んでおり、私設ネットワークのＡＮ情報は公衆ネットワークＡＮに必要な情報と同一の情報であり、これに加えて私設ネットワークに対する情報をさらに有している。私設ネットワークのＡＮ情報は、サービスエリア、例えば、サービスＡＮＣ又はセクタの情報、サービス使用時間の情報、サービスタイプの情報などを含んでいる。ｃＤＬＲ１２６が、ＡＮにＵＡＴＩを割り当てる場合、特別の規約に基づいてＵＡＴＩを割り当てるように構成されることもできる。
【００４２】
　さらに、無線私設ネットワークのＡＮがサービスを受ける場合、ｃＤＬＲ１２６は無線私設ネットワークへの接続と公衆ネットワークへの接続を区分できる識別子をさらに設けて伝送するように構成することもできる。
【００４３】
　ｐＡＮＴＳ１０１、１０２、ｐＡＮＣ１１２、ＡＮＣ１２３、ｃＤＬＲ１２６、ｐＰＤＳＮ１１１及びＰＤＳＮ１２４はインターネットプロトコル（Internet Protocol：ＩＰ）に基づいて構成されることができる。一般的に、ＡＮＴＳとＡＮＣとの間及びＤＬＲとＰＤＳＮとの間の接続はＡＴＭ（Asynchronous Transfer Mode）に基づいて構成されるが、このような構成はコスト上昇の要因となる。したがって、ＩＰに基づいた構成にすればコストを効果的に節減することができる。このように、ｐＡＮＴＳ１０１、１０２、ｐＡＮＣ１１２、ＡＮＣ１２３、ｃＤＬＲ１２６、ｐＰＤＳＮ１１１及びＰＤＳＮ１２４をＩＰに基づいて構成する場合、それぞれのノード内部における各ボード又はプロセッサ間の通信をＩＰＣ (Inter-Processor(or Process) Communication)に基づくように構成する。また、それぞれのノード内部における各ボード又はプロセッサには内部（Internal）ＩＰアドレスを割り当てる。ノードが所定の電話局や制御局のようなセントラルオフィス内部に位置する場合に内部ＩＰアドレスがノードに割り当てられる。固定ＩＰアドレスはセントラルオフィス又は制御局から遠距離に位置するノードに割り当てられる。このようにすることで、ＩＰアドレスの不足を防ぐことができるようになる。
【００４４】
　ｐＡＮＴＳ１０１、１０２と　ｐＡＮＣ１１２、ＡＮＣ１２３との間のインタフェースはＡＤＳＬモデムやケーブルモデムなどを利用することが可能である。これは、ｐＡＮ＿ＡＡＡ１１３、ＡＮ＿ＡＡＡ１２２、ｐＰＤＳＮ１１１及びＰＤＳＮ１２４が当初からＩＰ基盤上で具現されるので、何ら問題はない。
【００４５】
　このような高速無線データサービスシステムにおける私設ネットワークに接続されたＡＮの呼発信過程と、私設ネットワークに接続されたＡＮの呼着信過程を図２〜図５を参照して説明する。
【００４６】
　まず、私設ネットワークに接続されたＡＮ１１からｐＰＤＳＮ１１１への呼発信過程を図２及び図３を参照して説明すれば、次の通りである。図３は、本発明の一実施形態によ呼発信過程を示すメッセージのフローチャートである。
【００４７】
　無線私設ネットワークのＡＮ１１が、段階２０１（CALL CONNECTION RECUEST）で呼の1x EV-DO、つまり呼発信要求サービスを要求する場合、定義されたエアインタフェース規格（air interface standard）に基づいてＵＡＴＩ及び目的地アドレスを含む接続要求メッセージをｐＡＮＴＳ１０１に伝送する。ｐＡＮＴＳ１０１が、接続要求メッセージを受信すると、ＩＰ通信処理後にその接続要求メッセージをハブ１１０へ伝送する。ハブ１１０は受信した接続要求メッセージをｐＡＮＣ１１２へ伝送する。ｐＡＮＣ１１２が、接続要求メッセージを受信すると、段階２０３（SUBSCRIBER INFORMATION REQUEST）でハブ１１０、１２０を通じて目的地端末（destination terminal）についての加入者情報要求メッセージをｃＤＬＲ１２６に伝送する。ｃＤＬＲ１２６が、加入者情報要求メッセージを受信すると、該当加入者情報を照会し、段階２０５（SUBSCRIBER INFORMATION RESPONSE）で加入者情報を含む加入者情報応答メッセージをｐＡＮＣ１１２に伝送する。ｐＡＮＣ１１２が、ｃＤＬＲ１２０から加入者情報を受信すると、段階２０７（AUTHENTICATION REQUEST）で認証要求メッセージをｐＡＮ＿ＡＡＡ１１３に伝送する。ｐＡＮ＿ＡＡＡ１１３はｐＡＮＣ１１２の認証要求メッセージに応答してＡＮ１１のＵＡＴＩに基づいて認証可否を検査し、段階２０９（AUTHENTICATION CONFIRMATION）で認証確認メッセージをｐＡＮＣ１１２に伝送する。ｐＡＮＣ１１２が、認証確認メッセージを受信すると、段階２１１（CONNECTION CONFIRMATION）でエアインタフェースを通じて接続確認信号をＡＮ１１に伝達する。接続確認信号を受信したＡＮ１１は通信モード（COMMUNICATION MODE）２１３に進行して目標としたｐＰＤＳＮ１１１と通信をする。ここでは無線私設ネットワークへ呼接続要求がなされた場合を仮定したので、ＡＮ１１がｐＰＤＳＮ１１１と通信する場合を説明した。一方、ＡＮ１１が無線公衆ネットワークのＰＤＳＮ１２４と通信する他の場合は、ハブ１２０及びＡＮ＿ＡＡＡ１２２をさらに経るようになるだけであるので、前述の場合と同様に遂行される。
【００４８】
　次に、図４及び図５を参照して本発明の一実施形態に従う高速無線データシステムの私設ネットワークに呼着信がなされる過程を説明する。図４は本発明の一実施形態による呼着信過程を示すメッセージのフローチャートであり、図５は本発明の一実施形態による呼着信時におけるデータ位置登録器の動作フローチャートである。
【００４９】
　図４を参照すると、ｐＰＤＳＮ１１１から無線私設ネットワークのＡＮ１１に呼着信要求が伝送された場合、段階３０１（CONNECTION REQUEST）でｐＰＤＳＮ１１１は接続要求メッセージをｐＡＮＣに伝送する。ｐＡＮＣ１１２は、無線私設ネットワークの動作のみを遂行するＡＮＣ、又は、無線私設ネットワーク及び無線公衆ネットワークの動作を並行して遂行するＡＮＣとなる。このとき、接続要求メッセージはハブ１１０を通じて伝達されるが、図４ではこれを特に図示していない。
【００５０】
　接続要求メッセージに応答して、ｐＡＮＣ１１２は段階３０３（PAGING REQUEST）でページング要求メッセージをｃＤＬＲ１２６に伝送する。ｃＤＬＲ１２６が、ページング要求メッセージを受信すると、段階３０５（AN LOCATION IDENTIFICATION）で該当加入者情報、すなわちＡＮ１１の位置を確認する。ｃＤＬＲ１２６は受信したページング要求メッセージがｐＡＮＣ１１２から受信したメッセージであるか、又は、公衆ネットワークに接続されたＡＮＣ１２３から受信したメッセージであるかを決定した後、該当ＡＮＣへ加入者情報応答メッセージを伝送する。すなわち、ｃＤＬＲ１２６はどのＡＮＣからページング要求メッセージを受信したかどうかによってページング要求メッセージのソースアドレス（source address）又は該当ＡＮのシステム形状情報を参照して、該当ＡＮＣにページング応答メッセージを伝送する。このようなｃＤＬＲ１２６の動作過程を図５に示す。これを参照してｃＤＬＲ１２６におけるページング要求のための加入者情報検索過程を詳細に説明すれば、次の通りである。ｃＤＬＲ１２６が、段階４０１（RECEIVE PAGING REQUEST MESSAGE）でｐＡＮＣ１１２からページング要求メッセージを受信すると、段階４０３（PAGING REQUEST RECEIVED FROM pANC ?）に進行する。このページング要求メッセージは、ｐＡＮＣ１１２から伝送されたものであるか又はＡＮＣ１２３から伝送されたものであるかを確認できるソースＡＮＣ確認フィールド（source ANC identification field）を含んでいる。ソースＡＮＣ確認フィールドはページング要求メッセージのソースＡＮＣを確認するために使用される。ｃＤＬＲ１２６は段階４０３でソースＡＮＣ確認フィールドを検査し、ｐＡＮＣ１１２から受信したページング要求メッセージであるのか又は公衆ネットワークに接続されたＡＮＣ１２３であるのかを決定する。その結果、ｃＤＬＲ１２６は、ページング要求メッセージがｐＡＮＣ１１２から受信したページング要求メッセージであれば段階４０５（TRANSMIT PAGING RESPONSE MESSAGE TO pANC CORRESPONDING TO SOURCE ADDRESS OF PAGING REQUEST MESSAGE）に進行し、ＡＮＣ１２３から受信したページング要求メッセージであれば段階４０７（TRANSMIT PAGING RESPONSE MESSAGE TO CORRESPONDING ANC USING PAGING INFORMATION AND PAGING AREA INFORMATION）に進行する。段階４０５でｃＤＬＲ１２６はページング要求メッセージのソースアドレスに該当するｐＡＮＣ１１２にページング応答メッセージを伝送する。一方、段階４０７でｃＤＬＲ１２６はシステム形状情報を含むページング情報及びページング領域情報を利用してページング領域に属する該当ＡＮＣにページング応答メッセージを伝送する。
【００５１】
　再度、図４を参照すると、段階３０７（PAGING RESPONSE）で、上記のような過程を通じたｃＤＬＲ１２６からページング応答メッセージを受信したｐＡＮＣ１１２は、段階３０９（PAGING REQUEST）でｐＡＮＴＳ１０１にページング要求メッセージを伝送する。ｐＡＮＴＳ１０１は段階３１１（PAGING REQUEST）でページング要求メッセージをＡＮ１１に伝送する。ページング要求メッセージに応答して、ＡＮ１１は段階３１３（PAGING RESPONSE）でページング応答メッセージを伝送する。ページング応答メッセージはｐＡＮＴＳ１０１を通じてｐＡＮＣ１１２に伝送される。ｐＡＮＣ１１２が、ページング応答メッセージを受信すると、段階３１５（AUTHENTICATION REQUEST）で認証要求メッセージをｐＡＮ＿ＡＡＡ１１３に伝送する。ｐＡＮ＿ＡＡＡ１１３が、認証要求メッセージを受信すると、認証処理を行って段階３１７（AUTHENTICATION CONFIRMATION）で認証確認メッセージをｐＡＮＣ１１２に伝送する。ｐＡＮＣ１１２が、認証確認メッセージを受信すると、ｐＰＤＳＮ１１１はパケット通信モード（COMMUNICATION MODE）３１９に進行して目標としたＡＮ１１とパケット通信をする。
【００５２】
　以上、本発明を具体的な一実施形態に基づいて説明したが、本発明の範囲を外れない限り多様な変形が可能であることはもちろんである。したがって、本発明の範囲は説明した一実施形態に限定されてはならず、特許請求の範囲だけでなくこの特許請求の範囲と均等なものにより定めなければならない。
【図面の簡単な説明】
【００５３】
【図１】従来の高速無線データシステムの構成図。
【図２】本発明の一実施形態による高速無線データシステムの構成図。
【図３】本発明の一実施形態による呼発信過程を示すメッセージのフローチャート。
【図４】本発明の一実施形態による呼着信過程を示すメッセージのフローチャート。
【図５】本発明の一実施形態による呼着信時にデータ位置登録器の動作フローチャート。
【符号の説明】
【００５４】
１０，２０　無線領域
１１，２１　高速無線データ端末(ＡＮ)
１０１，１０２　私設基地局(ｐＡＮＴＳ)
１１０，１２０　ハブ
１１１　私設パケットデータサービスノード(ｐＰＤＳＮ)
１１２　私設基地局制御器(ｐＡＮＣ)
１１３　私設認証システム(ｐＡＮ_ＡＡＡ)
１２２　認証システム（ＡＮ_ＡＡＡ）
１２３　基地局制御器(ＡＮＣ)
１２４　パケットデータサービスノード(ＰＤＳＮ)
１２６　共通データ位置登録器(ｃＤＬＲ)
１３０　インターネット
【図１】
2004104785.tif 000003
【図２】
2004104785.tif 000004
【図３】
2004104785.tif 000005
【図４】
2004104785.tif 000006
【図５】
2004104785.tif 000007